【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
コンピュータを、
文書情報を受け付けて第１の利用者及び第２の利用者のいずれもが当該文書情報を閲覧できるよう記憶手段に格納する受付手段と、
前記第１の利用者と前記第２の利用者との会話の入力及び出力を制御するチャット制御手段と、
前記第１の利用者及び前記第２の利用者の前記文書情報の部分に対するコメントの入力及び出力を制御するコメント制御手段と、
前記文書情報の内容と、前記会話の内容と、前記コメントの内容とを一画面に表示するよう制御する表示制御手段として機能させるための文書作成プログラム。
【請求項２】
前記第１の利用者から前記文書情報のレビュー依頼を受け付けると前記第２の利用者に通知する通知手段としてさらに機能させる請求項１に記載の文書作成プログラム。
【請求項３】
前記受付手段が前記文書情報と同種の文書情報を新たに受け付けた場合、当該新たな文書情報を前記文書情報の新たなバージョンとして記録するバージョン管理手段としてさらに機能させる請求項１又は２に記載の文書作成プログラム。
【請求項４】
前記チャット制御手段は、前記会話内容をバージョンに関わらず前記文書情報に関連付け、
前記コメント制御手段は、前記コメントを前記文書情報のバージョン毎に関連づける請求項３に記載の文書作成プログラム。
【請求項５】
前記第１の利用者及び前記第２の利用者の操作内容に基づいて前記文書情報の内容を編集する編集手段としてさらに機能させる請求項１‐４のいずれか１項に記載の文書作成プログラム。
【請求項６】
前記通知手段は、前記第１の利用者又は前記第２の利用者の操作に基づいて前記チャット制御手段、前記コメント手段又は前記編集手段のいずれかが動作した場合、前記第２の利用者又は前記第１の利用者に動作内容を通知する請求項５に記載の文書作成プログラム。
【請求項７】
前記文書情報の部分と類似する部分を過去の文書情報から抽出して表示する編集補助手段としてさらに機能させる請求項１‐６のいずれか１項に記載の文書作成プログラム。
【請求項８】
前記文書情報の部分に不足する部分を過去の文書情報から抽出して表示する編集補助手段としてさらに機能させる請求項１‐６のいずれか１項に記載の文書作成プログラム。
【請求項９】
コンピュータを、
文書情報を受け付けて第１の利用者及び第２の利用者のいずれもが当該文書情報を閲覧できるよう記憶手段に格納する受付手段と、
前記文書情報の部分と類似する部分を過去の文書情報から抽出して表示する編集補助手段として機能させるための文書作成プログラム。
【請求項１０】
文書情報を受け付けて第１の利用者及び第２の利用者のいずれもが当該文書情報を閲覧できるよう記憶手段に格納する受付手段と、
前記第１の利用者と前記第２の利用者との会話の入力及び出力を制御するチャット制御手段と、
前記第１の利用者及び前記第２の利用者の前記文書情報の部分に対するコメントの入力及び出力を制御するコメント制御手段と、
前記文書情報の内容と、前記会話の内容と、前記コメントの内容とを一画面に表示するよう制御する表示制御手段とを有する情報処理装置。
【手続補正２】
【補正対象書類名】明細書
【補正対象項目名】００１０
【補正方法】変更
【補正の内容】
【００１０】
［１］コンピュータを、
文書情報を受け付けて第１の利用者及び第２の利用者のいずれもが当該文書情報を閲覧できるよう記憶手段に格納する受付手段と、
前記第１の利用者と前記第２の利用者との会話の入力及び出力を制御するチャット制御手段と、
前記第１の利用者及び前記第２の利用者の前記文書情報の部分に対するコメントの入力及び出力を制御するコメント制御手段と、
前記文書情報の内容と、前記会話の内容と、前記コメントの内容とを一画面に表示するよう制御する表示制御手段として機能させるための文書作成プログラム。
［２］前記第１の利用者から前記文書情報のレビュー依頼を受け付けると前記第２の利用者に通知する通知手段としてさらに機能させる前記［１］に記載の文書作成プログラム。
［３］前記受付手段が前記文書情報と同種の文書情報を新たに受け付けた場合、当該新たな文書情報を前記文書情報の新たなバージョンとして記録するバージョン管理手段として
さらに機能させる前記［１］又は［２］に記載の文書作成プログラム。
［４］前記チャット制御手段は、前記会話内容をバージョンに関わらず前記文書情報に関連付け、
前記コメント制御手段は、前記コメントを前記文書情報のバージョン毎に関連づける前記［３］に記載の文書作成プログラム。
［５］前記第１の利用者及び前記第２の利用者の操作内容に基づいて前記文書情報の内容を編集する編集手段としてさらに機能させる前記［１］‐［４］のいずれかに記載の文書作成プログラム。
［６］前記通知手段は、前記第１の利用者又は前記第２の利用者の操作に基づいて前記チャット制御手段、前記コメント手段又は前記編集手段のいずれかが動作した場合、前記第２の利用者又は前記第１の利用者に動作内容を通知する前記［５］に記載の文書作成プログラム。
［７］前記文書情報の部分と類似する部分を過去の文書情報から抽出して表示する編集補助手段としてさらに機能させる前記［１］‐［６］のいずれかに記載の文書作成プログラム。
［８］前記文書情報の部分に不足する部分を過去の文書情報から抽出して表示する編集補助手段としてさらに機能させる前記［１］‐［６］のいずれかに記載の文書作成プログラム。
［９］コンピュータを、
文書情報を受け付けて第１の利用者及び第２の利用者のいずれもが当該文書情報を閲覧できるよう記憶手段に格納する受付手段と、
前記文書情報の部分と類似する部分を過去の文書情報から抽出して表示する編集補助手段として機能させるための文書作成プログラム。
［１０］文書情報を受け付けて第１の利用者及び第２の利用者のいずれもが当該文書情報を閲覧できるよう記憶手段に格納する受付手段と、
前記第１の利用者と前記第２の利用者との会話の入力及び出力を制御するチャット制御手段と、
前記第１の利用者及び前記第２の利用者の前記文書情報の部分に対するコメントの入力及び出力を制御するコメント制御手段と、
前記文書情報の内容と、前記会話の内容と、前記コメントの内容とを一画面に表示するよう制御する表示制御手段とを有する情報処理装置。
【手続補正３】
【補正対象書類名】明細書
【補正対象項目名】００１１
【補正方法】変更
【補正の内容】
【００１１】
請求項１又は１０に係る発明によれば、複数人物の作業に基づいて法律文書を作成することができる。
請求項２に係る発明によれば、第１の利用者から文書情報のレビュー依頼を受け付けると第２の利用者に通知することができる。
請求項３に係る発明によれば、受付手段が文書情報と同種の文書情報を新たに受け付けた場合、当該新たな文書情報を文書情報の新たなバージョンとしてバージョン情報に記録することができる。
請求項４に係る発明によれば、会話内容をバージョンに関わらず文書情報に関連付け、コメントを文書情報のバージョン毎に関連づけることができる。
請求項５に係る発明によれば、第１の利用者及び第２の利用者の操作内容に基づいて文書情報の内容を編集することができる。
請求項６に係る発明によれば、第１の利用者又は第２の利用者の操作に基づいてチャット制御手段、コメント手段又は編集手段のいずれかが動作した場合、第２の利用者又は第１の利用者に動作内容を通知することができる。
請求項７又は９に係る発明によれば、文書情報の部分と類似する部分を過去の文書情報から抽出して表示することができる。
請求項８に係る発明によれば、文書情報の部分に不足する部分を過去の文書情報から抽出して表示することができる。